(57)【要約】【課題】レベルゲージガイドに対するオイルレベルゲージの挿入性を改善する。【解決手段】オイルレベルゲージ１は、レベルゲージガイド２に挿入される細長い板状のゲージ部３と、ゲージ部３をレベルゲージガイド２に挿入する際に把持される把持部４と、を有し、把持部４に対してゲージ部３が、ゲージ部３の長手方向に沿った軸回りに回転可能となるよう連結されている。これによって、オイルレベルゲージ１をレベルゲージガイド２に挿入する際の角度に関わらず、オイルレベルゲージ１をレベルゲージガイド２に常に円滑に挿入することができ、作業者の作業性を向上させることができる。【選択図】図１
2007120407.tif 000002
【特許請求の範囲】
【請求項１】
管状のレベルゲージガイドに挿入される細長い板状のゲージ部と、
ゲージ部をレベルゲージガイドに挿入する際に把持される把持部と、を有するオイルレベルゲージにおいて、
把持部に対してゲージ部が、ゲージ部の長手方向に沿った軸回りに回転可能となるよう連結されていることを特徴とするオイルレベルゲージ。
【請求項２】
オイルレベルゲージは、曲がりを有するレベルゲージガイドに挿入されることを特徴とする請求項１に記載のオイルレベルゲージ。
【発明の詳細な説明】
【技術分野】
【０００１】
本発明は、オイルレベルゲージに関する。
【背景技術】
【０００２】
特許文献１には、ガイドパイプ内に挿入されるレベルゲージの挿入シャフトに屈曲部を設け、挿入シャフトをガイドパイプの内部に挿入する際に、挿入シャフトの回転方向姿勢が正規の姿勢から外れている場合には、上記屈曲部がガイドパイプの内面と干渉することで、間違った姿勢でガイドパイプに挿入されないように構成されたレベルゲージが開示されている。
【特許文献１】特開２００５−３６３２号公報
【発明の開示】
【発明が解決しようとする課題】
【０００３】
しかしながら、この特許文献１のレベルゲージにおいては、間違った姿勢で挿入シャフトをガイドパイプに挿入しても、屈曲部がガイドパイプの内面と干渉する位置までは挿入シャフトがガイドパイプに挿入されることになるため、この位置から挿入シャフトを引き抜いて再度挿入することになり余分な手間が掛かかることになる。
【０００４】
また、３次元的な曲げが可能なワイヤ状のオイルレベルゲージよりも安価な板状のオイルレベルゲージを、曲げを有するレベルゲージガイドに挿入する場合、最初の挿入開始時にレベルゲージガイドの曲がりにレベルゲージが追従しやすい角度であれば容易挿入することができるが、作業者の操作によっては適切な角度でレベルゲージがレベルゲージガイドに挿入されるとは限らず、容易に挿入できない虞がある。
【課題を解決するための手段】
【０００５】
そこで、本発明のオイルレベルゲージは、レベルゲージガイドに挿入される細長い板状のゲージ部と、ゲージ部をレベルゲージガイドに挿入する際に把持される把持部と、を有し、把持部に対してゲージ部が、ゲージ部の長手方向に沿った軸回りに回転可能となるよう連結されていることを特徴としている。
【発明の効果】
【０００６】
本発明によれば、把持部に対してゲージ部が、ゲージ部の長手方向に沿った軸回りに回転可能となるよう連結されているので、オイルレベルゲージをレベルゲージガイドに挿入する際の角度に関わらず、オイルレベルゲージをレベルゲージガイドに常に円滑に挿入することができ、作業者の作業性を向上させることができる。
【発明を実施するための最良の形態】
【０００７】
以下、本発明の一実施形態を図面に基づいて詳細に説明する。
【０００８】
図１は本発明に係るオイルレベルゲージ１の概略構成を示す説明図、図２は本発明に係るオイルレベルゲージ１が挿入されるレベルゲージガイド２の概略を示す斜視図である。
【０００９】
オイルレベルゲージ１は、例えばオイルパン等のオイルタンク（図示せず）に接続された管状のレベルゲージガイド２に挿入されるものであって、レベルゲージガイド２に挿入される細長い板状で金属製のゲージ部３と、ゲージ部３をレベルゲージガイド２に挿入する場合あるいはゲージ部３をレベルゲージガイド２から引き抜く場合に作業者に把持される把持部４と、を有している。ゲージ部２は、先端側をオイルタンク（図示せず）内のオイルに漬け、濡れた部分の長さから油量を測定するものである。
【００１０】
把持部４の下端には、レベルゲージガイド２の開口端２ａに着脱可能に係止されるストッパー部５が設けられている。ストッパー部５は把持部４に対して固定されており、ストッパー部５と把持部４とは実質的には一体となっている。
【００１１】
ゲージ部３は、ストッパー部５に連結される基端３ａのみが円柱状を呈している。そして、ゲージ部３は、把持部４に対して、ゲージ部３の長手方向の沿った軸回りに回転可能となるよう連結されている。すなわち、上述したストッパー部５には、例えばベアリング等の回転部材が組み込まれており、この回転部材に対してゲージ部３の基端３ａが連結されている。
【００１２】
レベルゲージガイド２には、オイルレベルゲージ１が挿入される開口端２ａ側から第１湾曲部６、第２湾曲部７が形成されている。
【００１３】
第１湾曲部６は、図３及び図４に示すように、中心軸が単一平面上に位置するように湾曲したいわゆる２次元曲げとなっている。
【００１４】
第２湾曲部７は、図５及び図６に示すように、中心軸が互いに異なる２つの平面上に位置するように湾曲したいわゆる３次元曲げとなっている。
【００１５】
このようなオイルレベルゲージ１においては、把持部４に対してゲージ部３が、ゲージ部３の長手方向に沿った軸回りに回転可能となっているので、オイルレベルゲージ１をレベルゲージガイド２に挿入する際には、第１湾曲部６及び第２湾曲部７に対するゲージ部３の向きに関わらず、ゲージ部３は各湾曲部６、７にて各湾曲部６、７の湾曲に追従するよう回転する。
【００１６】
詳述すると、第１湾曲部６においては、ゲージ部３が図４のＡ部に示すようにねじれて挿入されたとしても、ゲージ部３は把持部４に対して回転可能となっているので、ゲージ部３は第１湾曲部６の曲げに追従するよう回転する。また、第２湾曲部７においては、ゲージ部３が図５および図６のＢ部に示すようにレベルゲージガイド２の内壁面に当たって強制的に曲がっていくことになるが、ゲージ部３は把持部４に対して回転可能となっているので、第２湾曲部７よりもレベルゲージガイド２の開口端２ａ側寄りの部分で曲がりやすい方向に回転する。換言すると、レベルゲージガイド２の湾曲部分（第１湾曲部６および第２湾曲部７）で、ゲージ部３は自身の曲がり易い方向に回転しながら撓むことになる。
【００１７】
そのため、オイルレベルゲージ１をレベルゲージガイド２に挿入する際の角度に関わらず、オイルレベルゲージ１をレベルゲージガイド２に常に円滑に挿入することができ、作業者の作業性を向上させることができる。
【００１８】
上記実施形態から把握し得る本発明の技術的思想について、その効果とともに列記する。
【００１９】
（１）  管状のレベルゲージガイドに挿入される細長い板状のゲージ部と、ゲージ部をレベルゲージガイドに挿入する際に把持される把持部と、を有するオイルレベルゲージにおいて、把持部に対してゲージ部が、ゲージ部の長手方向に沿った軸回りに回転可能となるよう連結されている。これによって、オイルレベルゲージをレベルゲージガイドに挿入する際の角度に関わらず、オイルレベルゲージをレベルゲージガイドに常に円滑に挿入することができ、作業者の作業性を向上させることができる。
【００２０】
（２）  上記（１）に記載のオイルレベルゲージは、具体的には、曲がりを有するレベルゲージガイドに挿入される。
【図面の簡単な説明】
【００２１】
【図１】本発明に係るオイルレベルゲージの概略構成を示す説明図。
【図２】本発明に係るオイルレベルゲージが挿入されるレベルゲージガイドの概略を示す斜視図である。
【図３】本発明に係るオイルレベルゲージが挿入されるレベルゲージガイドの第１湾曲部の平面図。
【図４】本発明に係るオイルレベルゲージが挿入されるレベルゲージガイドの第１湾曲部の側面図。
【図５】本発明に係るオイルレベルゲージが挿入されるレベルゲージガイドの第２湾曲部の平面図。
【図６】本発明に係るオイルレベルゲージが挿入されるレベルゲージガイドの第２湾曲部の側面図。
【符号の説明】
【００２２】
１…オイルレベルゲージ
２…レベルゲージガイド
３…ゲージ部
４…把持部
５…ストッパー部
６…第１湾曲部
７…第２湾曲部
【図１】
2007120407.tif 000003
【図２】
2007120407.tif 000004
【図３】
2007120407.tif 000005
【図４】
2007120407.tif 000006
【図５】
2007120407.tif 000007
【図６】
2007120407.tif 000008